(57)【要約】ＬＮＢダウンコンバージョン回路を開示する。解決方法は、四つの局部発振信号及び直交ミキサを用いてラジオ周波数信号をダウンコンバートし、受動型マルチフェーズフィルタを用いて四つの局部発振信号をミキサして９０度の位相シフトを行う。ＬＮＢダウンコンバージョンチップ、ＬＮＢダウンコンバージョンチップ回路及びＬＮＢダウンコンバージョン方法も合わせて開示している。
2013532455.tif 000002
【特許請求の範囲】
【請求項１】
ＬＮＢダウンコンバージョンのチップ回路であって、前置増幅器と四相電圧制御発振器と直交ミキサとＩＱ中間周波増幅器とポリフェーズフィルタを備え、
前置増幅器は、フロントエンド回路の中間段の高周波増幅回路の出力を受け、また、チップの雑音指数を改善して、全ＬＮＢ全体のノイズ劣化を防ぐとともに、中間段の高周波増幅回路からのシングルエンド信号を二つの差動信号へ変換して、チップのコモンモードノイズ除去性能を向上させ、前記二つの差動信号はそれぞれ０度位相の第１差動信号と１８０度位相の第２差動信号であり、
前記四相電圧制御発振器は、位相が９０度ずれた四つの局部発振信号を出力して、前記四つの局部発振信号は９０度位相の第１局部発振信号、０度位相の第２局部発振信号、２７０度位相の第３局部発振信号と１８０度位相の第４局部発振信号であり、
直交ミキサは、前記四相電圧制御発振器からの四つの局部発振信号および前置増幅器からの二つの差動信号を受け、前記直交ミキサは第１局部発振信号と第１差動信号を混合して、９０度位相の第１中間周波数信号を生成し、第２局部発振信号と第１差動信号を混合して、０度位相の第２中間周波数信号を生成し、第３局部発振信号と第２差動信号を混合して、２７０度位相の第３中間周波数信号を生成し、第４局部発振信号と第２差動信号を混合して、１８０度位相の第４中間周波数信号を生成し、
ＩＱ中間周波増幅器は、前記直交ミキサから出力されたの四つの中間周波数信号を受け、直交ミキサの駆動能力を向上させ、信号の減衰を防止し、
ポリフェーズフィルタは、前記チップ上のＩＱ中間周波増幅器の出力を受け、四つの中間周波数信号をフィルタし、イメージ信号を除去し、チップのイメージ抑圧機能を達成してから、四つの中間周波数信号のうち、第１中間周波数信号と第２中間周波数信号、第３中間周波数信号と第４中間周波数信号をそれぞれ重畳して、二つの信号出力を生成することを特徴とするＬＮＢダウンコンバージョンのチップ回路。
【請求項２】
請求項１に記載のＬＮＢダウンコンバージョンのチップ回路において、
チップ内の高周波増幅管制御回路および垂直水平スイッチング回路、チップの周辺回路に接続された垂直高周波増幅回路、水平高周波増幅回路および中間段の高周波増幅回路も備え、前記チップなの高周波増幅管制御回路は前記垂直高周波増幅回路、水平高周波増幅回路と中間段の高周波増幅回路中の高周波増幅管のソース、ドレインとゲートへ、バイアス回路を提供し、且つ、高周波増幅管の動作電流を通常の範囲にコントロールし、前記垂直水平スイッチング回路は垂直・水平のスイッチング電圧の大きさに応じて、高周波増幅管に与えるバイアスをオンまたはオフにして、垂直方向と水平方向の信号受信の切り替えを実現し、同時に、中間段の高周波増幅回路はずっとオープンの状態に制御されていることを特徴とするＬＮＢダウンコンバージョンのチップ回路。
【請求項３】
請求項１に記載のＬＮＢダウンコンバージョンのチップ回路において、
チップ内の中間周波増幅器も備え、当該中間周波増幅器は前記ポリフェーズフィルタからの出力を受け、チップ外の７５Ωケーブルを駆動し、出力のマッチングを確保し、且つ中間周波数信号を出力することを特徴とするＬＮＢダウンコンバージョンのチップ回路。
【請求項４】
請求項１に記載のＬＮＢダウンコンバージョンのチップ回路において、
前記四相電圧制御発振器は相互結合する２つの電圧制御発振器ユニットを有し、位相が９０度ずれた四つの局部発振信号を出力することを特徴とするＬＮＢダウンコンバージョンのチップ回路。
【請求項５】
請求項４に記載のＬＮＢダウンコンバージョンのチップ回路において、
前記電圧制御発振器は位相同期回路とプリスケーラ回路に接続され、前記電圧制御発振器の周波数安定性が位相同期回路に通じて実現され、すなわちプリスケーラ回路によって電圧制御発振器の出力信号の周波数が継続的に基準クロック周波数に分周さて、位相同期回路は分周された出力信号の周波数を基準クロック周波数と比べって、その周波数差異が位相同期回路が継続的に電圧制御発振器の可変コンデンサーを調整することで補償され、それにより、正確な局部発振周波数を達成することを特徴とするＬＮＢダウンコンバージョンのチップ回路。
【請求項６】
請求項１に記載のＬＮＢダウンコンバージョンのチップ回路において、
ポリフェーズフィルタは４つの中間周波数信号と対応する４つの経路を含み、各経路には直列に接続された複数の抵抗素子があり、前の経路の各抵抗素子の前端がコンデンサを介してその次の経路の対応する抵抗素子の後端と接続され、最後の経路の各抵抗素子の前端がコンデンサを介して第一経路の対応する抵抗素子の後端と接続されることを特徴とするＬＮＢダウンコンバージョンのチップ回路。
【請求項７】
請求項１に記載のＬＮＢダウンコンバージョンのチップ回路において、
チップ内の２２ｋ検出回路も含み、受けた２２ｋ信号に応答し、２２ｋ信号が存在すると、検出回路が位相同期回路に高レベルを送り、位相同期回路が電圧制御発振器を制御して、高い局部発振周波数で働かせ、２２ｋ信号が消えると、検出回路が低レベルを送り出し、位相同期回路が電圧制御発振器を制御して、低い局部発振周波数にロッキングすることを特徴とするＬＮＢダウンコンバージョンのチップ回路。
【請求項８】
請求項１に記載のＬＮＢダウンコンバージョンのチップ回路において、
チップ内の負電圧発生回路も備え、負電圧を生じて前記水平高周波増幅回路、垂直高周波増幅回路及び中間段の高周波増幅回路中の高周波増幅管のグリッド電圧に必要なバイアス点を提供することを特徴とするＬＮＢダウンコンバージョンのチップ回路。
【請求項９】
請求項１に記載のＬＮＢダウンコンバージョンのチップ回路において、チップ内の電圧安定化回路も備え、前記ＬＮＢダウンコンバージョンのチップ回路のほかの部分へ電源を供給することを特徴とするＬＮＢダウンコンバージョンのチップ回路。
【請求項１０】
請求項１に記載のＬＮＢダウンコンバージョンのチップ回路において、
チップ内の水晶発振回路も備え、前記ＬＮＢダウンコンバージョンのチップ回路のほかの部分に基準周波数を提供することを特徴とするＬＮＢダウンコンバージョンのチップ回路。
【請求項１１】
ＬＮＢダウンコンバージョン回路であって、
請求項１〜１０のいずれか１項に記載のＬＮＢダウンコンバージョンのチップ回路とＬＮＢダウンコンバージョンチップ回路の周辺回路を有し、当該周辺回路は垂直高周波増幅回路と水平高周波増幅回路と中間段の高周波増幅回路を備え、
垂直高周波増幅回路は、無線周波数垂直信号を受け、且つ、衛星受信アンテナで受けた衛星伝送信号の垂直方向の電磁波を増幅し、前記垂直高周波増幅回路は受信帯域内でにバンドパス特性を有し、
水平高周波増幅回路は、無線周波数水平信号を受け、且つ、衛星受信アンテナで受けた衛星伝送信号の水平方向の電磁波を増幅し、前記水平高周波増幅回路は受信帯域内でにバンドパス特性を有し、
中間段の高周波増幅回路は，垂直高周波増幅回路と水平高周波増幅回路からの出力信号を受け、当該中間段の高周波増幅回路は常に開いている状態になって、第一段の高周波増幅回路からの信号を再び増幅して、ミキサ前の増幅回路全体のゲインを向上させ、ＬＮＢシステム全体の雑音指数を減らすことを特徴とするＬＮＢダウンコンバージョン回路。
【請求項１２】
請求項１１に記載のＬＮＢダウンコンバージョン回路において、
前記周辺回路はチップ外の高周波増幅管制御回路および垂直水平スイッチング回路、前記周辺回路に接続された垂直高周波増幅回路、水平高周波増幅回路および中間段の高周波増幅回路も備え、前記チップ外の高周波増幅管制御回路は前記垂直高周波増幅回路、水平高周波増幅回路と中間段の高周波増幅回路中の高周波増幅管のソース、ドレインとゲートに、バイアス回路を提供し、且つ、高周波増幅管の動作電流を通常の範囲にコントロールし、前記垂直水平スイッチング回路は垂直・水平のスイッチング電圧の大きさに応じて、高周波増幅管に与えるバイアスをオンまたはオフにして、垂直方向と水平方向の信号受信の切り替えを実現し、同時に、中間段の高周波増幅回路はずっとオープンの状態に制御されていることを特徴とするＬＮＢダウンコンバージョン回路。
【請求項１３】
請求項１１に記載のＬＮＢダウンコンバージョン回路において、
前記周辺回路はチップ外の中間周波増幅器も備え、当該中間周波増幅器は前記ポリフェーズフィルタからの出力を受けて、チップ外の７５Ωケーブルを駆動し、出力のマッチングを確保し、且つ、中間周波数信号を出力することを特徴とするＬＮＢダウンコンバージョン回路。
【請求項１４】
請求項１１に記載のＬＮＢダウンコンバージョン回路において、
前記周辺回路はチップ外の２２ｋ検出回路も備え、受けた２２ｋ信号に応答し、２２ｋ信号が存在すると、検出回路が位相同期回路に高レベルを送り、位相同期回路が電圧制御発振器を制御して、高い局部発振周波数で働かせ、２２ｋ信号が消えると、前記２２ｋ検出回路が低レベルを送り出し、位相同期回路が電圧制御発振器を制御して、低い局部発振周波数にロッキングすることを特徴とするＬＮＢダウンコンバージョン回路。
【請求項１５】
請求項１１に記載のＬＮＢダウンコンバージョン回路において、
前記周辺回路はチップ外の負電圧発生回路も備え、負電圧を生じて、前記水平高周波増幅回路、垂直高周波増幅回路及び中間段の高周波増幅回路中の高周波増幅管のグリッド電圧に必要なバイアス点を提供することを特徴とするＬＮＢダウンコンバージョン回路。
【請求項１６】
請求項１１に記載のＬＮＢダウンコンバージョン回路において、
前記周辺回路はチップ外の電圧安定化回路も含み、前記ＬＮＢダウンコンバージョンのチップ回路に電源を供給することを特徴とするＬＮＢダウンコンバージョン回路。
【請求項１７】
請求項１１に記載のＬＮＢダウンコンバージョン回路において、
前記周辺回路はチップ内の水晶発振回路も備え、前記ＬＮＢダウンコンバージョンのチップ回路に基準周波数を提供することを特徴とするＬＮＢダウンコンバージョン回路。
【請求項１８】
ＬＮＢダウンコンバージョンチップであって、
請求項１〜１０のいずれか１項に記載のＬＮＢダウンコンバージョンのチップ回路が前記ＬＮＢダウンコンバージョンチップに集積されて、前記ＬＮＢダウンコンバージョンのチップ回路が前記ＬＮＢダウンコンバージョンチップのピンを介して前記ＬＮＢダウンコンバージョンのチップ回路の周辺回路と接続されることを特徴とするＬＮＢダウンコンバージョンチップ。
【請求項１９】
請求項１〜１０のいずれか１項に記載のＬＮＢダウンコンバージョンのチップ回路で実現されたＬＮＢダウンコンバージョン方法であって、
前置増幅器で、あらかじめ受けた信号を増幅して、チップの雑音指数を高めて、ＬＮＢシステム全体の雑音を劣化しないようにするとともに、受けた シングルエンド信号を二つの差動信号へ変換して、チップのコモンモードノイズ除去性能を向上させ、前記二つの差動信号はそれぞれ０度位相の第１差動信号と１８０度位相の第２差動信号であり、四相電圧制御発振器で、位相が９０度ずれた四つの局部発振信号を出力し、前記四つの局部発振信号は９０度位相の第１局部発振信号、１度位相の第２局部発振信号、２７０度位相の第３局部発振信号と１８０度位相の第４局部発振信号であり、直交ミキサで第１局部発振信号と第１差動信号を混合して、９０度位相の第１中間周波数信号を生成し、第２局部発振信号と第１差動信号を混合して、０度位相の第２中間周波数信号を生成し、第３局部発振信号と第２差動信号を混合して、２７０度位相の第３中間周波数信号を生成し、第４局部発振信号と第２差動信号を混合して、１８０度位相の第４中間周波数信号を生成し、その後、ＩＱ中間周波増幅器で、前記直交ミキサからの四つの中間周波数信号を受け、直交ミキサの駆動能力を向上させ、信号の減衰を防止し、それから、ポリフェーズフィルタで、前記チップ内のＩＱ中間周波増幅器の出力を受け、四つの中間周波数信号をフィルタし、イメージ信号を除去し、チップのイメージ抑圧機能を達成してから、四つの中間周波数信号中の第１中間周波数信号と第２中間周波数信号、第３中間周波数信号と第４中間周波数信号をそれぞれ重畳して、二つの信号出力を生成し、最後に中間周波増幅器で前記ポリフェーズフィルタからの出力を受け、チップ外の７５Ωケーブルを駆動し、出力のマッチングを確保し、且つ、中間周波数信号を出力することを特徴とするＬＮＢダウンコンバージョン方法。
【請求項２０】
請求項１９に記載のＬＮＢダウンコンバージョン方法において、
前記電圧制御発振器の周波数安定性が位相同期回路に通じて実現され、すなわちプリスケーラ回路によって電圧制御発振器の出力信号の周波数が継続的に基準クロック周波数に分周され、位相同期回路は分周された出力信号の周波数を基準クロック周波数と比べって、その周波数差異が位相同期回路が継続的に電圧制御発振器の可変コンデンサーを調整することで補償され、それにより、正確な局部発振周波数を達成することを特徴とするＬＮＢダウンコンバージョン方法。
【請求項２１】
請求項１９に記載のＬＮＢダウンコンバージョン方法において、
高周波増幅管制御回路および垂直水平スイッチング回路、チップの周辺回路に接続された垂直高周波増幅回路、水平高周波増幅回路および中間段の高周波増幅回路も含み、前記高周波増幅管制御回路は前記垂直高周波増幅回路、水平高周波増幅回路と中間段の高周波増幅回路中の高周波増幅管のソース、ドレインとゲートへ、バイアス回路を提供し、且つ、高周波増幅管の動作電流を通常の範囲にコントロールし、前記垂直水平スイッチング回路は垂直・水平のスイッチング電圧の大きさに応じて、高周波増幅管に与えるバイアスをオンまたはオフにして、垂直方向と水平方向の信号受信の切り替えを実現し、同時に、中間段の高周波増幅回路はずっとオープンの状態に制御されていることを特徴とするＬＮＢダウンコンバージョン方法。
【請求項２２】
請求項１９に記載のＬＮＢダウンコンバージョン方法において、
中間周波増幅器も含み、当該中間周波増幅器は前記ポリフェーズフィルタからの出力を受けて、チップ外の７５Ωケーブルを駆動し、出力のマッチングを確保し、且つ中間周波数信号を出力することを特徴とするＬＮＢダウンコンバージョン方法。
【請求項２３】
請求項１９に記載のＬＮＢダウンコンバージョン方法において、
前記電圧制御発振器が位相同期回路とプリスケーラ回路に接続され、前記電圧制御発振器の周波数安定性が位相同期回路に通じて実現され、すなわちプリスケーラ回路によって電圧制御発振器の出力信号の周波数が継続的に基準クロック周波数に分周され、位相同期回路は分周された出力信号の周波数を基準クロック周波数と比べって、その周波数差異が位相同期回路が継続的に電圧制御発振器の可変コンデンサーを調整することで補償され、それにより、正確な局部発振周波数を達成することを特徴とするＬＮＢダウンコンバージョン方法。
【請求項２４】
請求項１９に記載のＬＮＢダウンコンバージョン方法において、
２２ｋ検出回路も含み、受けた２２ｋ信号に応答し、２２ｋ信号が存在すると、検出回路が位相同期回路に高レベルを送り、位相同期回路が電圧制御発振器を制御して、高い局部発振周波数で働かせ、２２ｋ信号が消えると、検出回路が低レベルを送り出し、位相同期回路が電圧制御発振器を制御して、低い局部発振周波数にロッキングすることを特徴とするＬＮＢダウンコンバージョン方法。
【請求項２５】
請求項１９に記載のＬＮＢダウンコンバージョン方法において、
負電圧発生回路も含み、負電圧を生じて前記水平高周波増幅回路、垂直高周波増幅回路及び中間段の高周波増幅回路中の高周波増幅管のグリッド電圧に必要なバイアス点を提供することを特徴とするＬＮＢダウンコンバージョン方法。
【発明の詳細な説明】
【技術分野】
【０００１】
本発明は信号処理チップの回路に関し、特に、ＬＮＢダウンコンバージョンのチップ回路に関する。本発明はＬＮＢダウンコンバージョンチップに関する。また、本発明は信号処理回路に関し、特にＬＮＢダウン・コンバージョン回路に関する。本発明はＬＮＢダウン・コンバージョン方法に関する。
【背景技術】
【０００２】
ＬＮＢ，即ちＬｏｗ  Ｎｏｉｓｅ  Ｂｌｏｃｋ  （ローノイズ・ブロック）、通称チューナーと言い、衛星受信アンテナの反射焦点に配置され、衛星信号の増幅とダウンコンバージョンに使用されるダウンコンバータである。
【０００３】
現在のＬＮＢはディスクリート部品を採用することは多く、図１と図２に示すように、高周波増幅管、受動型バンドパスフィルタ、誘電体発振器、ミキサー、中間周波増幅器、レギュレータブロック、バイアス回路、負圧発生回路、２２ｋ検出回路などから構成される。
【０００４】
従来のソリューションの欠点：
１．誘電体発振器が強い温度ドリフト特性を有するため、ＬＮＢの周波数安定精度は高くない。
【０００５】
２．  帯域外の信号特にイメージ周波数の信号をフィルタして、ＬＮＢの雑音性能を向上するために、受動型バンドパスフィルタが必要であるが、バンドパスフィルタは減衰特性を有し、且つ、貴重な基板面積を占める。
【０００６】
３．通常ＬＮＢが小型化されたから、数多くのディスクリート部品ではメンテナンスとデバッグに非常に不便である。
【発明の概要】
【発明が解決しようとする課題】
【０００７】
本発明が解決しようとする技術的問題はＬＮＢダウンコンバージョンのチップ回路を提供すること、当該ＬＮＢダウンコンバージョンのチップ回路を応用するチップ、当該ＬＮＢダウンコンバージョンのチップ回路を応用するＬＮＢダウンコンバージョン回路および当該ＬＮＢダウンコンバージョンのチップ回路を応用するＬＮＢダウンコンバージョン方法下であり、そして、より高いイメージ除去機能を実現して、バンドパスフィルタによって占有された貴重な基板スペースを節約する同時に、ＬＮＢの優れたノイズ性能を確保する。
【課題を解決するための手段】
【０００８】
上記の技術的問題を解決するために、本発明のＬＮＢダウンコンバージョンのチップ回路は以下の技術解決策を採用している。
【０００９】
前置増幅器は、フロントエンド回路の中間段の高周波増幅回路の出力を受け、また、チップの雑音指数を改善して、ＬＮＢ全体のノイズ劣化を防ぐとともに、中間段の高周波増幅回路からの シングルエンド信号を二つの差動信号へ変換して、チップのコモンモードノイズ除去性能を向上させ、前記二つの差動信号はそれぞれ０度位相の第１差動信号と１８０度位相の第２差動信号である。
【００１０】
四相電圧制御発振器は、位相が９０度ずれた四つの局部発振信号を出力し、前記四つの局部発振信号はそれぞれ９０度位相の第１局部発振信号、０度位相の第２局部発振信号、２７０度位相の第３局部発振信号と１８０度位相の第４局部発振信号である。
【００１１】
直交ミキサは、前記四相電圧制御発振器から出力された四つの局部発振信号および前置増幅器からの二つの差動信号を受け、前記直交ミキサは第１局部発振信号と第１差動信号とを混合して、９０度位相の第１中間周波数信号を生成し、第２局部発振信号と第１差動信号を混合して、０度位相の第２中間周波数信号を生成し、第３局部発振信号と第２差動信号を混合して、２７０度位相の第３中間周波数信号を生成し、第４局部発振信号と第２差動信号を混合して、１８０度位相の第４中間周波数信号を生成する。
【００１２】
ＩＱ中間周波増幅器は、前記直交ミキサから出力された四つの中間周波数信号を受け、直交ミキサの駆動能力を向上させ、信号の減衰を防止する。
【００１３】
ポリフェーズフィルタは、前記チップ内のＩＱ中間周波増幅器の出力を受け、四つの中間周波数信号をフィルタして、イメージ信号を除去し、チップのイメージ抑圧機能を達成し、それから、四つの中間周波数信号のうち、第１中間周波数信号と第２中間周波数信号、第３中間周波数信号と第４中間周波数信号をそれぞれ重畳して、二つの信号出力を生成する。
【００１４】
また、本発明は、ＬＮＢダウンコンバージョン回路を開示しており、その技術的な解決策は以下のとおりである。ＬＮＢダウンコンバージョン回路は前記ＬＮＢダウンコンバージョンのチップ回路およびＬＮＢダウンコンバージョンのチップ回路の周辺回路を有し、当該周辺回路は以下の要素を含む。
【００１５】
垂直高周波増幅回路は、無線周波数垂直信号を受け、また、衛星受信アンテナで受けた衛星伝送信号の垂直方向の電磁波を増幅し、前記垂直高周波増幅回路は受信帯域内でバンドパス特性を有する。
【００１６】
水平高周波増幅回路は、無線周波数水平信号を受け、また、衛星受信アンテナで受けた衛星伝送信号の水平方向の電磁波を増幅し、前記水平高周波増幅回路は受信帯域内でバンドパス特性を有する。
【００１７】
中間段の高周波増幅回路は，垂直高周波増幅回路と水平高周波増幅回路からの出力信号を受け、当該中間段の高周波増幅回路は常に開いている状態になって、第一段の高周波増幅回路からの信号を再び増幅して、ミキサ前の増幅回路全体の利得を向上させて、ＬＮＢシステム全体の雑音指数を減らす。
【００１８】
また、本発明は、ＬＮＢダウンコンバージョンチップを開示しており、その技術的な解決策は以下の通りである。前記ＬＮＢダウンコンバージョンのチップ回路が前記ＬＮＢダウンコンバージョンチップに集積され、前記ＬＮＢダウンコンバージョンのチップ回路が前記ＬＮＢダウンコンバージョンチップのピンを介して前記ＬＮＢダウンコンバージョンのチップ回路の周辺回路と接続される。
【００１９】
さらに、本発明は、前記ＬＮＢダウンコンバージョンのチップ回路で実現されたＬＮＢダウンコンバージョン方法を開示しており、その技術的な解決策は以下の通りである。前置増幅器で、あらかじめ受けた信号を増幅して、チップの雑音指数を高めて、ＬＮＢシステム全体の雑音を劣化しないようにするとともに、受け取った シングルエンド信号を二つの差動信号へ変換して、チップのコモンモードノイズ除去性能を向上させ、前記二つの差動信号はそれぞれ０度位相の第１差動信号と１８０度位相の第２差動信号であり、四相電圧制御発振器で、位相が９０度ずれた四つの局部発振信号を出力して、前記四つの局部発振信号は９０度位相の第１局部発振信号、０度位相の第２局部発振信号、２７０度位相の第３局部発振信号と１８０度位相の第４局部発振信号であり、直交ミキサで第１局部発振信号と第１差動信号を混合して、９０度位相の第１中間周波数信号を生成し、第２局部発振信号と第１差動信号を混合して、０度位相の第２中間周波数信号を生成し、第３局部発振信号と第２差動信号を混合して、２７０度位相の第３中間周波数信号を生成し、第４局部発振信号と第２差動信号を混合して、１８０度位相の第４中間周波数信号を生成し、その後、ＩＱ中間周波増幅器で、前記直交ミキサから出力されたの四つの中間周波数信号を受け、直交ミキサの駆動能力を向上させ、信号の減衰を防止し、それから、ポリフェーズフィルタで、前記チップ内のＩＱ中間周波増幅器の出力を受け、四つの中間周波数信号をフィルタし、イメージ信号を除去して、チップのイメージ抑圧機能を達成してから、四つの中間周波数信号のうち、第１中間周波数信号と第２中間周波数信号、第３中間周波数信号と第４中間周波数信号をそれぞれ重畳して、二つの信号出力を生成し、最後に中間周波増幅器で前記ポリフェーズフィルタからの出力を受けて、チップ外の７５Ωケーブルを駆動して、出力のマッチングを確保して、中間周波数信号を出力する。
【発明の効果】
【００２０】
本発明は従来のディスクリート式ＬＮＢ方法中の大部分のディスクリート部品を集積するために、ＬＮＢの応用、生産及びメンテナンスの簡素化とコストの削減を実現し、また、位相同期回路を集積することで、ＬＮＢの周波数安定性能を大幅に向上させ、イメージ排除機能を集積することで、ＰＣＢ基板上のバンドパスフィルタを抜けて、プレートのコストの節約とノイズ性能の改善を実現し、従って、生産過程に従来技術の低収率欠点を克服し、生産過程中の良品率を上げて、生産効率を向上させた。
【図面の簡単な説明】
【００２１】
【図１】従来のＬＮＢダウンコンバージョン回路の構成図である。
【図２】従来のＬＮＢダウンコンバージョン回路の構成図である。
【図３】本発明のＬＮＢダウンコンバージョン回路の構成図である。
【図４】本発明のＬＮＢダウンコンバージョン回路中の電圧制御発振器の略図である。
【図５】本発明のＬＮＢダウンコンバージョン回路中の電圧制御発振器の略図である。
【図６】本発明のＬＮＢダウンコンバージョン回路中の位相同期回路の略図である。
【図７】本発明のＬＮＢダウンコンバージョン回路中のポリフェーズフィルタの略図である。
【発明を実施するための形態】
【００２２】
本発明は、構成図３に示されているＬＮＢダウンコンバージョンのチップ回路を開示する。
【００２３】
前置増幅器は、フロントエンド回路の中間段の高周波増幅回路の出力を受け、そして、チップの雑音指数を改善して、ＬＮＢ全体のノイズ劣化を防ぐとともに、中間段の高周波増幅回路からの シングルエンド信号を二つの差動信号へ変換して、チップのコモンモードノイズ除去性能を向上させ、前記二つの差動信号はそれぞれ０度位相の第１差動信号と１８０度位相の第２差動信号である。
【００２４】
四相電圧制御発振器は、位相が９０度ずれた四つの局部発振信号を出力して、前記四つの局部発振信号はそれぞれ９０度位相の第１局部発振信号、０度位相の第２局部発振信号、２７０度位相の第３局部発振信号と１８０度位相の第４局部発振信号である。
【００２５】
直交ミキサは、前記四相電圧制御発振器からの四つの局部発振信号および前置増幅器からの二つの差動信号を受け、前記直交ミキサは第１局部発振信号と第１差動信号を混合して、９０度位相の第１中間周波数信号を生成し、第２局部発振信号と第１差動信号を混合して、０度位相の第２中間周波数信号を生成し、第３局部発振信号と第２差動信号を混合して、２７０度位相の第３中間周波数信号を生成し、第４局部発振信号と第２差動信号を混合して、１８０度位相の第４中間周波数信号を生成する。
【００２６】
ＩＱ中間周波増幅器は、前記直交ミキサからの四つの中間周波数信号を受け、直交ミキサの駆動能力を向上させ、信号の減衰を防止する。
【００２７】
ポリフェーズフィルタは、前記チップ上のＩＱ中間周波増幅器の出力を受け、四つの中間周波数信号をフィルタし、イメージ信号を除去して、チップのイメージ抑圧機能を達成し、それから、四つの中間周波数信号のうち、第１中間周波数信号と第２中間周波数信号、第３中間周波数信号と第４中間周波数信号をそれぞれ重畳して、二つの信号出力を生成する。
【００２８】
＜発明の実施の形態＞
前記ＬＮＢダウンコンバージョンのチップ回路はチップ内の高周波増幅管制御回路および垂直水平スイッチング回路、チップの周辺回路に接続された垂直高周波増幅回路、水平高周波増幅回路および中間段の高周波増幅回路も備える。前記チップ内の高周波増幅管制御回路は前記垂直高周波増幅回路、水平高周波増幅回路と中間段の高周波増幅回路中の高周波増幅管のソース、ドレインとゲートのために、バイアス回路を提供し、且つ、高周波増幅管の動作電流を通常の範囲にコントロールする。前記垂直水平スイッチング回路は垂直・水平のスイッチング電圧の大きさに応じて、高周波増幅管に与えるバイアスをオンまたはオフにして、垂直方向と水平方向の信号受信の切り替えを実現する。同時に、中間段の高周波増幅回路はずっとオープンの状態に制御されている。
【００２９】
また、前記ＬＮＢダウンコンバージョンのチップ回路はチップ内の中間周波増幅器を備える。当該中間周波増幅器は前記ポリフェーズフィルタからの出力を受けて、チップ外の７５Ωケーブルを駆動して、出力のマッチング、特にセットトップボックスとのマッチングを確保して、中間周波数信号を出力する。
【００３０】
前記四相電圧制御発振器は、図４と図５に示すように、相互結合する２つの電圧制御発振器ユニットＶＣ０１とＶＣ０２を有し、位相が９０度ずれた四つの局部発振信号を出力して、その四つの局部発振信号はそれぞれ９０度位相の第１局部発振信号ＩＰ、０度位相の第２局部発振信号ＱＰ、２７０度位相の第３局部発振信号ＩＮと１８０度位相の第４局部発振信号ＱＮである。
【００３１】
本発明はハートレー構造を採用して、イメージ排除機能を実現する。ハートレー構造のダウンコンバータの動作原理から、本発明は４位相の直交局部発振器信号を生成する必要があることをわかる。通常直交局部発振器信号の生成方法にはポリフェーズフィルタ方法、分周器方法、四相電圧制御発振器方法の３種類ある。
【００３２】
本発明は四相電圧制御発振器方法を採用するために、高周波でポリフェーズフィルタを駆動する課題を避ける。また、分周器方法において、電圧制御発振器の発振周波数が局部発振周波数の２倍でなけらばならないが、Ｋｕバンドの１０．６ＧＨｚ局部発振周波数なら、電圧制御発振器の発振周波数が２１ＧＨｚであるが、そんな高い周波数では、ＣＭＯＳ分周器がその機能を実現し難い。
【００３３】
図４と図５に示すように、四相電圧制御発振器は２つの電圧制御発振器（ＶＣＯ）ユニットの相互結合によって、位相が９０度ずれた四つの局部発振信号を実現する。２つの電圧制御発振器ユニットがぞれぞれ主発振管（Ｍｌ、Ｍ２、Ｍ５、Ｍ６）と結合管（Ｍ３、Ｍ４、Ｍ７、Ｍ８）から構成される。第１段の電圧制御発振器ＶＣ０１からの出力信号ＩＰ、ＩＮが第２段の電圧制御発振器ＶＣ０２の結合管に入力されて、第２段の電圧制御発振器ＶＣ０２からの出力信号ＱＰ、ＱＮが第１段の電圧制御発振器ＶＣ０１の結合管に入力される。それにより、ＩＰ、ＱＰ、ＩＮ、ＱＮの間に９０度の位相差が保たれる。
【００３４】
前記電圧制御発振器が位相同期回路とプリスケーラ回路に接続され、前記電圧制御発振器の周波数安定性が位相同期回路に通じて実現され、すなわちプリスケーラ回路によって電圧制御発振器の出力信号の周波数が継続的に基準クロック周波数に分周されて、位相同期回路は分周された出力信号の周波数を基準クロック周波数と比べって、その周波数差異が位相同期回路が継続的に電圧制御発振器の可変コンデンサーを調整することで補償され、それにより、正確な局部発振周波数を達成する。
【００３５】
電圧制御発振器の生成する局部発振信号が温度などの環境変化に従って変化しないことを確保するためには、前記が位相同期回路（ＰＬＬ）に通じて電圧制御発振器の生成する局部発振信号を位相同期させるが必要があり、それにより、正確な局部発振信号を達成し、ディスクリート式方法中の誘電体発振器（ＤＲＯ）の周波数不安定性の欠点を克服する。具体的には、プリスケーラ回路によって電圧制御発振器の局部発振信号の周波数を基準クロック（即ち、水晶クロック）周波数程度に分周されて、位相同期回路は分周された信号の周波数を基準クロック周波数と比べって、継続的に電圧制御発振器の可変コンデンサーを調整して、その誤差を補償して、局部発振周波数を位相同期させる機能を達成する。水晶は非常に高いＱ値を有するため、周波数安定精度がすごく高く、位相同期回路は電圧制御発振器の周波数を水晶周波数に位相同期させて、電圧制御発振器の周波数安定精度を確保する。
【００３６】
本発明はＬＮＢシステムの周波数安定精度と位相雑音性能を向上させるために、チップ内に位相同期回路と水晶発振器をを集積して、電圧制御発振器の周波数の正確な制御を実現し、電圧制御発振器の低周波位相雑音をフィルタする。
【００３７】
図６に示すように、プリスケーラは２つの電圧制御発振器ユニットで構成される四相電圧制御発振器から出力した１０ＧＨｚ程度の高周波信号を継続的に水晶発振周波数に分周してから位相検出器に送って、同時に、水晶発振器も安定的な水晶発振周波数を位相検出器に送り、位相検出器は２つの周波数信号の位相差異を比較してから、対応する制御信号をチャージポンプに入力し、ループフィルタはチャージポンプからの出力信号をフィルタして位相変化に追従する制御電圧信号に転換する。その制御電圧信号で電圧制御発振器内部の可変コンデンサを制御して、電圧制御発振器の周波数の精確調整を実現する。
【００３８】
本発明は２つの電圧制御発振器で構成される四相クロスカップリング型電圧制御発振器を採用する。２つのＶＣＯは位相が違いが、発振周波数が同じであるから、ループフィルタは制御電圧をフィルタしてから、同時に２つのＶＣＯへ送るだけですむ。
【００３９】
位相同期回路全体は負のフィードバック特性を有するために、電圧制御発振器の位相と周波数が、水晶発振器の位相と周波数に、完全に比例することを達成する。水晶は非常に高いＱ値を有するために、周波数安定精度がすごく高く、電圧制御発振器の周波数安定精度を確保する。
【００４０】
電圧制御発振器は１０ＧＨｚ高周波信号を位相同期回路に送るとともに、ミキサーに１０ＧＨｚ信号を送って、ダウンコンバージョン機能を実現する。
【００４１】
前記受動型ポリフェーズフィルタは４つの中間周波数信号と対応する４つの経路を含む。図６に示すように、各経路には直列に接続された複数の抵抗素子があり、前の経路の各抵抗素子の前端がコンデンサを介してその次の経路の対応する抵抗素子の後端と接続され、最後の経路の各抵抗素子の前端がコンデンサを介して第一経路の対応する抵抗素子の後端と接続される。
【００４２】
本発明はハートレー構造を採用してイメージ排除機能を実現する。ハートレー構造のダウンコンバータの動作原理から、無線周波数信号が直交ミキサによってダウンコンバートされたから、ポリフェーズフィルタによってイメージ信号をフィルタされる必要があることがわかる。ＬＮＢシステムは９５０ＭＨｚから２１５０ＭＨｚまでのＬバンド中間周波数信号の出力を必要とするから、本発明は４段受動型ポリフェーズフィルタ構造を採用する。図７の示すように、ポリフェーズフィルタは負の周波数（或いは正の周波数）信号に対して帯域阻止特性を有するが、正の周波数（或いは負の周波数）信号に対して帯域通過特性を保ち、そして、阻止帯域幅が段数の多少で決められ、段数が多ければ多いほど、阻止帯域幅が大きいが、通過帯域内の挿入損失も大きいである。本発明は阻止帯域幅と通過帯域内の挿入損失両方も考慮して４段ポリフェーズフィルタ構造を採用する。
【００４３】
前記ＬＮＢダウンコンバージョンのチップ回路はチップ内の２２ｋ検出回路も備え、受けた２２ｋ信号に応答する。２２ｋ信号が存在すると、検出回路が位相同期回路に高レベルを送り、位相同期回路が電圧制御発振器を制御して、高い局部発振周波数で働かせ、２２ｋ信号が消えると、検出回路が低レベルを送り出して、位相同期回路が電圧制御発振器を制御して、低い局部発振周波数にロッキングする。
【００４４】
前記ＬＮＢダウンコンバージョンのチップ回路はチップ内の負電圧発生回路も備え、負電圧を生じて前記水平高周波増幅回路、垂直高周波増幅回路及び中間段の高周波増幅回路中の高周波増幅管のグリッド電圧に必要なバイアス点を提供する。
【００４５】
前記ＬＮＢダウンコンバージョンのチップ回路はチップ内の電圧安定化回路も備え、前記ＬＮＢダウンコンバージョンのチップ回路のほかの部分へ電源を供給する。
【００４６】
前記ＬＮＢダウンコンバージョンのチップ回路はチップ内の水晶発振回路も備え、前記ＬＮＢダウンコンバージョンのチップ回路のほかの部分に基準周波数を提供する。
【００４７】
また、本発明は、前記ＬＮＢダウンコンバージョンのチップ回路およびＬＮＢダウンコンバージョンのチップ回路の周辺回路を含むＬＮＢダウンコンバージョン回路を開示しており、当該周辺回路は以下の要素を含む。
【００４８】
垂直高周波増幅回路は、無線周波数垂直信号を受け、また、衛星受信アンテナで受けた衛星伝送信号の垂直方向の電磁波を増幅し、前記垂直高周波増幅回路は受信帯域内でにバンドパス特性を有する。
【００４９】
水平高周波増幅回路は、無線周波数水平信号を受け、また、衛星受信アンテナで受けた衛星伝送信号の水平方向の電磁波を増幅し、前記水平高周波増幅回路は受信帯域内でにバンドパス特性を有する。
【００５０】
中間段の高周波増幅回路は，垂直高周波増幅回路と水平高周波増幅回路からの出力信号を受け、当該中間段の高周波増幅回路は常に開いている状態になって、第一段の高周波増幅回路からの信号を再び増幅して、ミキサ前の増幅回路全体の利得を向上させて、ＬＮＢシステム全体の雑音指数を減らす。
【００５１】
前記周辺回路はチップ外の高周波増幅管制御回路および垂直水平スイッチング回路、前記周辺回路に接続された垂直高周波増幅回路、水平高周波増幅回路および中間段の高周波増幅回路も備える。前記チップ外の高周波増幅管制御回路は前記垂直高周波増幅回路、水平高周波増幅回路と中間段の高周波増幅回路中の高周波増幅管のソース、ドレインとゲートのために、バイアス回路を提供し、且つ、高周波増幅管の動作電流を通常の範囲にコントロールする。前記垂直水平スイッチング回路は垂直・水平のスイッチング電圧の大きさに応じて、高周波増幅管に与えるバイアスをオンまたはオフにして、垂直方向と水平方向の信号受信の切り替えを実現する。同時に、中間段の高周波増幅回路はずっとオープンの状態に制御されている。
【００５２】
また、前記周辺回路はチップ外の中間周波増幅器を有する。当該中間周波増幅器は前記ポリフェーズフィルタからの出力を受けて、チップ外の７５Ωケーブルを駆動し、出力のマッチングを確保し、且つ、中間周波数信号を出力する。
【００５３】
高周波増幅管制御回路、垂直水平スイッチング回路および前記中間周波増幅器は前記ＬＮＢダウンコンバージョンのチップ回路に集積されることができるが、前記周辺回路に集積されることもできる。
【００５４】
前記周辺回路はチップ外の２２ｋ検出回路も含み、受けた２２ｋ信号に応答する。２２ｋ信号が存在すると、検出回路が位相同期回路に高レベルを送って、位相同期回路が電圧制御発振器を制御して、高い局部発振周波数で働かせ、２２ｋ信号が消えると、前記２２ｋ検出回路が低レベルを送り出して、位相同期回路が電圧制御発振器を制御して、低い局部発振周波数にロッキングする。
【００５５】
前記２２ｋ検出回路は前記ＬＮＢダウンコンバージョンのチップ回路に集積されて、チップ内の２２ｋ検出回路となることができるが、前記周辺回路に集積されることもできる。また、前記ＬＮＢダウンコンバージョンのチップ回路と周辺回路両方にも２２ｋ検出回路が集積されることもできる。前記ＬＮＢダウンコンバージョン回路はいずれが１つ方式を選用して機能を果たすことができる。
【００５６】
前記２２ｋ検出回路はチップ回路に集積されでも、周辺回路に集積されでも、図６に示すように、２２ｋ信号を検出するかどうかによって、対応する制御信号をプリスケーラに送り、プリスケーラの分周比例を変える。例えば、２２ｋ信号を検出すると、プリスケーラに高レベルを送り、２２ｋ信号を検出しないと、プリスケーラに低レベルを送る。プリスケーラは受けた２２ｋ検出回路からの電圧で、分周比例を変更し、切り替えて、それにより、電圧制御発振器の発振周波数の切り替えを達成し、さらに、局部発振周波数を変更する機能を実現する。
【００５７】
普通のＫｕバンドＬＮＢは、９．７５ＧＨｚと１０．６ＧＨｚ局部発振周波数をサポートする必要があり、２２ｋ信号がない場合に９．７５ＧＨｚ局部発振周波数となって、２２ｋ信号が存在する場合に、１０．６ＧＨｚ局部発振周波数に切り替える。
【００５８】
前記周辺回路はチップ外の負電圧発生回路も備え、負電圧を生じて、前記水平高周波増幅回路、垂直高周波増幅回路及び中間段の高周波増幅回路中の高周波増幅管のグリッド電圧に必要なバイアス点を提供する。
【００５９】
前記負電圧発生回路は前記ＬＮＢダウンコンバージョンのチップ回路に集積されて、チップ内の負電圧発生回路となることができるが、前記周辺回路に集積されることもできる。また、前記ＬＮＢダウンコンバージョンのチップ回路と周辺回路両方にも負電圧発生回路が集積されることもできる。前記ＬＮＢダウンコンバージョン回路はいずれが１つ方式を選用してその機能を果たすことができる。
【００６０】
前記周辺回路はチップ外の電圧安定化回路も含み、前記ＬＮＢダウンコンバージョンのチップ回路へ電源を供給する。
【００６１】
前記ＬＮＢダウンコンバージョンのチップ回路と前記周辺回路両方にも電圧安定化回路が集積されることができ、それにより、確実に前記ＬＮＢダウンコンバージョンのチップ回路に安定した電源を供給する。
【００６２】
前記周辺回路はチップ外の水晶発振回路も備え、前記ＬＮＢダウンコンバージョンのチップ回路に基準周波数を提供する。
【００６３】
水晶発振回路は前記ＬＮＢダウンコンバージョンのチップ回路に集積されて、チップ内の負電圧発生回路となることができるが、前記周辺回路に集積されることもできる。また、前記ＬＮＢダウンコンバージョンのチップ回路と周辺回路両方にも水晶発振回路が集積されることもできる。前記ＬＮＢダウンコンバージョン回路はいずれが１つ方式を選用して前記ＬＮＢダウンコンバージョンのチップ回路に基準周波数を提供する。
【００６４】
また、本発明は、ＬＮＢダウンコンバージョンチップを開示しており、前記ＬＮＢダウンコンバージョンのチップ回路が前記ＬＮＢダウンコンバージョンチップに集積されて、前記ＬＮＢダウンコンバージョンのチップ回路が前記ＬＮＢダウンコンバージョンチップのピンを介して前記ＬＮＢダウンコンバージョンのチップ回路の周辺回路と接続される。
【００６５】
図３には本発明の採用する具体的な実施形態が示されており、本発明はハートレー受信構造を採用して、チップのイメージ排除機能を図る。イメージ周波数部分の雑音は受信機の雑音指数を３ｄＢ劣化させるため、ＬＮＢのような雑音指数の要求が厳しいシステムでは、イメージ除去性能が特に重要である。
【００６６】
さらに、本発明は、前記ＬＮＢダウンコンバージョンのチップ回路で実現されたＬＮＢダウンコンバージョン方法を開示しており、その技術的な解決策以下の通りである。前置増幅器で、あらかじめ受けた信号を増幅して、チップの雑音指数を高めて、ＬＮＢシステム全体の雑音を劣化しないようにするとともに、受けた シングルエンド信号を二つの差動信号へ変換し、チップのコモンモードノイズ除去性能を向上させ、前記二つの差動信号はそれぞれ０度位相の第１差動信号と１８０度位相の第２差動信号であり、四相電圧制御発振器で、位相が９０度ずれた四つの局部発振信号を出力して、前記四つの局部発振信号は９０度位相の第１局部発振信号、０度位相の第２局部発振信号、２７０度位相の第３局部発振信号と１８０度位相の第４局部発振信号であり、直交ミキサで第１局部発振信号と第１差動信号を混合して、９０度位相の第１中間周波数信号を生成し、第２局部発振信号と第１差動信号を混合して、０度位相の第２中間周波数信号を生成し、第３局部発振信号と第２差動信号を混合して、２７０度位相の第３中間周波数信号を生成し、第４局部発振信号と第２差動信号を混合して、１８０度位相の第４中間周波数信号を生成し、その後、ＩＱ中間周波増幅器で、前記直交ミキサからの四つの中間周波数信号を受け取り、直交ミキサの駆動能力を向上させ、信号の減衰を防止し、それから、ポリフェーズフィルタで、前記チップ内のＩＱ中間周波増幅器の出力を受け、四つの中間周波数信号をフィルタし、イメージ信号を除去し、チップのイメージ抑圧機能を達成してから、四つの中間周波数信号うち、第１中間周波数信号と第２中間周波数信号、第３中間周波数信号と第４中間周波数信号をそれぞれ重畳して、二つの信号出力を生成し、最後に中間周波増幅器で前記ポリフェーズフィルタからの出力を受け、チップ外の７５Ωケーブルを駆動し、出力のマッチングを確保し、且つ、中間周波数信号を出力する。
【００６７】
前記電圧制御発振器の周波数安定性が位相同期回路に通じて実現され、すなわちプリスケーラ回路によって電圧制御発振器の出力信号の周波数が継続的に基準クロック周波数に分周されて、位相同期回路は分周された出力信号の周波数を基準クロック周波数と比べって、その周波数差異が位相同期回路が継続的に電圧制御発振器の可変コンデンサーを調整することで補償され、それにより、正確な局部発振周波数を達成する。
【００６８】
前記高周波増幅管制御回路は前記垂直高周波増幅回路、水平高周波増幅回路と中間段の高周波増幅回路中の高周波増幅管のソース、ドレインとゲートのために、バイアス回路を提供し、且つ、高周波増幅管の動作電流を通常の範囲にコントロールする。前記垂直水平スイッチング回路は垂直・水平のスイッチング電圧の大きさに応じて、高周波増幅管に与えるバイアスをオンまたはオフにして、垂直方向と水平方向の信号受信の切り替えを実現する。同時に、中間段の高周波増幅回路はずっとオープンの状態に制御されている。
【００６９】
前記中間周波増幅器は前記ポリフェーズフィルタからの出力を受けて、チップ外の７５Ωケーブルを駆動し、出力のマッチングを確保し、且つ、中間周波数信号を出力する。
【００７０】
前記電圧制御発振器の周波数安定性が位相同期回路に通じて実現され、すなわちプリスケーラ回路によって電圧制御発振器の出力信号の周波数が継続的に基準クロック周波数に分周されて、位相同期回路は分周された出力信号の周波数を基準クロック周波数と比べって、その周波数差異が位相同期回路が継続的に電圧制御発振器の可変コンデンサーを調整することで補償され、それにより、正確な局部発振周波数を達成する。
【００７１】
前記２２ｋ検出回路は、受けた２２ｋ信号に応答し、２２ｋ信号が存在すると、検出回路が位相同期回路に高レベルを送り、位相同期回路が電圧制御発振器を制御して、高い局部発振周波数で働かせ、２２ｋ信号が消えると、検出回路が低レベルを送り出し、位相同期回路が電圧制御発振器を制御して、低い局部発振周波数にロッキングする。
【００７２】
負電圧発生回路で、負電圧を生じて、前記水平高周波増幅回路、垂直高周波増幅回路及び中間段の高周波増幅回路中の高周波増幅管のグリッド電圧に必要なバイアス点を提供する。
【００７３】
本発明が採用するハートレー構造の基本的動作原理は以下の通りである。直交局部発振信号（Ｑｕａｄｒａｔｕｒｅ  ＬＯ）と直交ミキサを通じて、無線周波数信号をダウンコンバートするから、受動型ポリフェーズフィルタで混合した直交中間周波数信号を９０度位相ずれさせ、それにより、確実にイメージ信号をフィルタし、イメージ排除機能を達成する。
【００７４】
本発明は２５ｄＢ程度のイメージ除去率を実現でき、基本的にイメージ周波数が雑音を劣化する問題を解決する。また、ディスクリート部品を採用する従来型のＬＮＢ製品では、ｌｄＢ以下の雑音指数を達成するために、ＰＣＢ基板にバンドパスフィルタを加える必要がある。本発明によれば、本発明はハートレー構造のダウンコンバージョン構造を採用するため、メージ信号が直交ミキサのダウンコンバージョンおよびポリフェーズフィルタの位相ずれ作用で除去され、それにより、ポリフェーズフィルタを不要とし、ＰＣＢ面積を節約して、応用を省略簡素化することができる。
【００７５】
ハートレー構造を実現するための肝心問題の１つはとうやって四相局部発振信号を生じることである。特にＫｕバンドのＬＮＢチップに対して、局発周波数が９．７５ＧＨｚと１０．７５ＧＨｚである必要があり、さらに、１１．３ＧＨ  ｚ高周波まで要するため、どのようにして四相局部発振信号を生じるのかということは、本発明の解決しなければならない１つの課題となる。
【００７６】
普通四相局部発振器信号の生成方法にはポリフェーズフィルタ方法、分周器方法、四相電圧制御発振器方法の３種類あり。本発明は四相電圧制御発振器方法を採用するため、高周波でポリフェーズフィルタを駆動する課題を避け、また、分周器方法において、電圧制御発振器の発振周波数が局部発振周波数の２倍でなけらばならないが、分周器がその機能を達成し難い。
【００７７】
イメージ除去機能を有するハートレー受信機を実現する同時に、本発明は、ＣＭＯＳチップの集積し易い特徴を利用して、２２Ｋ信号検出回路と電圧発生回路、受信機を同じチップ内に集積し、それにより、ＬＮＢの生産コストを大幅に節約できる。
【産業上の利用可能性】
【００７８】
本発明は従来のディスクリート型ＬＮＢ方法中の大部分のディスクリート部品を集積するために、ＬＮＢの応用、生産及びメンテナンスの簡素化とコストの削減を実現し、また、位相同期回路を集積することで、ＬＮＢの周波数安定性能を大幅に向上させ、イメージ排除機能を集積することで、ＰＣＢ基板上のバンドパスフィルタを抜け、プレートのコストの節約とノイズ性能の改善を実現し、従って、生産中の従来技術の低収率欠点を克服して、生産過程の良品率を上げて、生産効率を向上させる。
【図１】
2013532455.tif 000003
【図２】
2013532455.tif 000004
【図３】
2013532455.tif 000005
【図４】
2013532455.tif 000006
【図５】
2013532455.tif 000007
【図６】
2013532455.tif 000008
【図７】
2013532455.tif 000009
【国際調査報告】
2013532455.tif 000010
2013532455.tif 000011
2013532455.tif 000012
2013532455.tif 000013